(57)【要約】      （修正有）【課題】多重入力出力の無線伝送システム及びその伝送方法の提供。【解決手段】無線伝送システムは第一処理ユニットによりエンコードデータを受信し、エンコードデータを処理し、エンコードデータを複数の調整ユニットに出力し、エンコードデータを調整し、複数の調整データを発生する。複数の第一転換ユニットは該各調整データを複数の伝送信号に転換し、複数のRF回路は該各伝送信号を受信し、ピコネット周波数ホッピング序列に基づき、RF信号をそれぞれ伝送する。無線受信システムの複数の受信処理ユニットは、ピコネット周波数ホッピング序列に基づきRF信号を受信し該第二転換ユニットに至り、RF信号を受信データに転換する。交換回路はピコネット周波数ホッピング序列に基づき受信データを切り替え、複数のデコード調整ユニットは切り替え後の受信データをデコード調整し、デコード調整データを発生する。【選択図】図１
2008295003.tif 000002
【特許請求の範囲】
【請求項１】
無線伝送システム、無線受信システムを含み、
該無線伝送システムはエンコードユニット、第一処理ユニット、複数の調整ユニット、複数の第一転換ユニット、複数のRF回路を含み、
該エンコードユニットは入力データを受信し、該入力データをエンコードし、エンコードデータを発生し、
該第一処理ユニットは該エンコードデータを受信し、該エンコードデータを処理し、該エンコードデータを出力し、
該複数の調整ユニットは該第一処理ユニットが出力する該エンコードデータを受信し、該エンコードデータを調整し、複数の調整データを発生し、
該複数の第一転換ユニットはそれぞれ該各調整ユニットに接続し、該各調整ユニットが転換する該複数の伝送信号を受信し、
該複数のRF回路は該各第一転換ユニットにそれぞれ接続し、該各伝送信号を受信し、複数のRF信号に転換し、ピコネット周波数ホッピング序列に基づき、RF信号をそれぞれ伝送し、
該無線受信システムは複数の受信処理ユニット、複数の第二転換ユニット、交換回路、複数のデコード調整ユニット、第二処理ユニット、デコードユニットを含み、
該複数の受信処理ユニットは該各RF回路の該ピコネット周波数ホッピング序列に基づき、該RF信号をそれぞれ受信し、
該複数の第二転換ユニットは該各受信処理ユニットにそれぞれ接続し、該RF信号を受信し、該RF信号を受信データに転換し、
該交換回路は該受信データを切り替え、
該複数のデコード調整ユニットは該交換回路が切り換えた該受信データを受信し、該受信データをデコード調整し、デコード調整データを発生し、
該第二処理ユニットは該デコード調整データを受信し、該デコード調整データを処理し、該デコード調整データを出力し、
該デコードユニットは該第二処理ユニットが出力する該デコード調整データをデコードし、出力データを発生することを特徴とする多重入力出力の無線伝送システム。
【請求項２】
請求項１記載の多重入力出力の無線伝送システムにおいて、前記第一処理ユニットは該エンコードデータを空間マルチ処理し、該エンコードデータを出力することを特徴とする多重入力出力の無線伝送システム。
【請求項３】
請求項２記載の多重入力出力の無線伝送システムにおいて、前記第一処理ユニットはデコードマルチユニットで、該エンコードデータを空間マルチ処理し、該エンコードデータを出力することを特徴とする多重入力出力の無線伝送システム。
【請求項４】
請求項２記載の多重入力出力の無線伝送システムにおいて、前記第一処理ユニットが該エンコードデータを空間マルチ処理する時、該各RF回路は該ピコネット周波数ホッピング序列の異なる周波数帯に基づき、該RF信号を該各受信処理ユニットにそれぞれ交錯伝送することを特徴とする多重入力出力の無線伝送システム。
【請求項５】
請求項２記載の多重入力出力の無線伝送システムにおいて、前記第二処理ユニットはマルチユニットで、還原空間マルチ処理により、該デコード調整データを処理し、該デコード調整データを出力することを特徴とする多重入力出力の無線伝送システム。
【請求項６】
請求項１記載の多重入力出力の無線伝送システムにおいて、前記第一処理ユニットは該エンコードデータを空間重複処理し、該エンコードデータを出力することを特徴とする多重入力出力の無線伝送システム。
【請求項７】
請求項６記載の多重入力出力の無線伝送システムにおいて、前記第一処理ユニットは該エンコードデータを該各調整ユニットに同時に伝送し、該エンコードデータを空間重複し、該エンコードデータを出力することを特徴とする多重入力出力の無線伝送システム。
【請求項８】
請求項６記載の多重入力出力の無線伝送システムにおいて、前記第一処理ユニットが該エンコードデータを空間重複する時、該各RF回路は同一の周波数帯において、該各RF信号を該各受信処理ユニットに平行伝送することを特徴とする多重入力出力の無線伝送システム。
【請求項９】
請求項６記載の多重入力出力の無線伝送システムにおいて、前記第二処理ユニットは組合せユニットで、還原空間マルチ重複処理により、該デコード調整データを処理し、該デコード調整データを出力することを特徴とする多重入力出力の無線伝送システム。
【請求項１０】
請求項１記載の多重入力出力の無線伝送システムにおいて、前記第一処理ユニットはさらに選択信号を受信し、空間マルチにより該エンコードデータを処理し、或いは空間重複により該エンコードデータを処理し、該エンコードデータを出力することを特徴とする多重入力出力の無線伝送システム。
【請求項１１】
請求項８記載の多重入力出力の無線伝送システムにおいて、前記選択信号はピコネット選択信号であることを特徴とする多重入力出力の無線伝送システム。
【請求項１２】
請求項１記載の多重入力出力の無線伝送システムにおいて、前記第一転換ユニットはデジタルアナログ転換器で、デジタルの該調整信号をアナログの該RF信号に転換することを特徴とする多重入力出力の無線伝送システム。
【請求項１３】
請求項１記載の多重入力出力の無線伝送システムにおいて、前記各RF回路はさらに伝送アンテナを含み、該伝送アンテナは該RF信号を該無線受信システムに伝送することを特徴とする多重入力出力の無線伝送システム。
【請求項１４】
請求項１記載の多重入力出力の無線伝送システムにおいて、前記各調整ユニットは直交波周波数分割多重（Orthogonal Frequency Division Multiplexing, OFDM）調整ユニットであることを特徴とする多重入力出力の無線伝送システム。
【請求項１５】
請求項１記載の多重入力出力の無線伝送システムにおいて、前記交換回路は該無線伝送システムの複数のRF回路が伝送する該RF信号に基づき、該受信データを該各RF回路に対応する該各デコード調整ユニットに切り替え、該受信データをデコード調整することを特徴とする多重入力出力の無線伝送システム。
【請求項１６】
請求項１記載の多重入力出力の無線伝送システムにおいて、前記各受信処理ユニットはさらに複数の受信アンテナを含み、該各受信アンテナは該各受信処理ユニットにそれぞれ接続し、該RF信号を受信し、該各受信処理ユニットに伝送することを特徴とする多重入力出力の無線伝送システム。
【請求項１７】
請求項１記載の多重入力出力の無線伝送システムにおいて、前記第二転換ユニットはアナログデジタル転換器で、アナログの該RF信号をデジタルの該受信データに転換することを特徴とする多重入力出力の無線伝送システム。
【請求項１８】
請求項１記載の多重入力出力の無線伝送システムにおいて、前記各デコード調整ユニットは直交波周波数分割多重（Orthogonal Frequency Division Multiplexing, OFDM）デコード調整ユニットことを特徴とする多重入力出力の無線伝送システム。
【請求項１９】
多重入力出力の無線伝送方法は以下のステップを含み、
入力データをエンコードし、エンコードデータを発生し、
該エンコードデータを受信し、該エンコードデータを処理し、該エンコードデータを出力し、
処理後の該エンコードデータを受信し、該エンコードデータを調整し、複数の調整データを発生し、
該各調整データを受信し、複数の伝送信号に転換し、
該各伝送信号を受信し、複数のRF信号に転換し、ピコネット周波数ホッピング序列に基づき該RF信号をそれぞれ伝送し、
それぞれ該ピコネット周波数ホッピング序列に基づき該RF信号を受信し、
該RF信号を受信データに転換し、
該選択信号に基づき該受信データを切り替え、
切り換え後の該受信データを受信し、該受信データをデコード調整し、デコード調整データを発生し、
該デコード調整データを受信し、該デコード調整データを処理し、該デコード調整データを出力し、
転換後の該デコード調整信号をデコードし、出力データを発生することを特徴とする多重入力出力の無線伝送方法。
【発明の詳細な説明】
【技術分野】
【０００１】
本発明は一種の無線伝送システム及びその伝送方法に関する。特に一種の多重入力出力の無線伝送システム及びその伝送方法に係る。
【背景技術】
【０００２】
科学技術の発達した現代社会では、次々に新たな電子製品が開発されており、無線通信サービスの重要性も日増しに高まっている。これによってより高いネットワーク容量とより高い性能へのニーズも成長を続け、無線ブロードバンドと高いデータ伝送レートへの要求に応えることが将来の目標となっている。
内、ウルトラブロードバンド（Ultra Wideband, UWB）システムは短距離無線通信のソリューションの一つとして注目されている。その長所は高いデータ伝送率、低電力消費、低コストで、国際組織には現在、ウルトラブロードバンドのニーズを満たすMB-直交波周波数分割多重（Orthogonal Frequency Division Multiplexing, OFDM）、DS-CDMA(Direct-Sequence Code Division Multiple Access)の２種の技術が提出されている。MB-直交波周波数分割多重OFDM技術は弾力的なスペクトラム運用能力を備えるため、７種の周波数ホッピング方式のピコネット（Pico net）をサポート可能で、世界各国の様々なスペクトラムに合わせ弾力的に調整することができる。この他、将来はより高い品質或いは高速のマルチメディアデータ伝送に対するニーズも高まると考えられる。
【０００３】
一方、一般の多重入力出力 (Multiple Input Multiple Output, MIMO)の無線伝送システムは、多数組のアンテナにより伝送しデータの高速伝送の目的を達成するものである。但し、一般の多重入力出力の無線伝送システムは同一の周波数帯において多数組のアンテナを利用しデータを伝送するため、アンテナ相互間の伝送データが干渉を受け易く、アンテナが誤ったデータを受信するような事態も発生する。誤ったデータの受信、或いは誤ったアンテナが伝送するデータの受信を回避するため、現時点では受信システムの回路をより複雑化することで対応している。
上記問題を解決するため、新規の多重入力出力の無線伝送システムとその伝送方法を提出し、多重アンテナとピコネットの周波数ホッピングの特性を結合し、より高品質或いは高速伝送の要求を達成する。また、本発明の伝送システムの空間多重技術は周波数帯が不干渉であるという特性を備え、システムの複雑度を低下させることができる。
【発明の開示】
【発明が解決しようとする課題】
【０００４】
本発明は主に多重入力出力の無線伝送システム及びその伝送方法を提供し、多重入力出力のアンテナ特性と周波数ホッピングの特性を結合し、すべてのアンテナは異なる周波数帯においてデータを伝送し、空間周波数ホッピングマルチの特性を備え、高速伝送の目的を達成し、
またそれは多重入力出力の無線伝送システム及びその伝送方法を提供し、その無線伝送システムのすべてのアンテナは同一の周波数帯においてデータを伝送し、高品質伝送の目的を達成し、
さらにそれは多重入力出力の無線伝送システム及びその伝送方法を提供し、その無線受信システムの回路はシンプルで、コストを低減可能で、
加えてそれは多重入力出力の無線伝送システム及びその伝送方法を提供し、それは直列入力出力のMB-直交波周波数分割多重OFDM（Multi Band Orthogonal Frequency Division Multiplexing）システムと互換性がありる。
【０００５】
本発明の多重入力出力の無線伝送システム及びその伝送方法は無線伝送システムと無線受信システムを含み、
無線伝送システムはエンコードユニット、第一処理ユニット、複数の調整ユニット、複数の第一転換ユニット、複数のRF回路を含み、
無線受信回路は交換回路、複数の受信処理ユニット、複数の第二転換ユニット、複数のデコード調整ユニット、第二処理ユニット、デコードユニットを含み、
該エンコードユニットは入力データを受信し、入力データをエンコードしエンコードデータを発生し、該第一処理ユニットはエンコードデータを受信し、エンコードデータを処理し、エンコードデータを出力し、該各デコード調整ユニットは第一処理ユニットが出力するエンコードデータを受信し、エンコードデータを調整し、複数の調整データを発生し、該各第一転換ユニットはそれぞれ該各調整ユニットに接続し、該各調整ユニットが転換する該複数の伝送信号を受信し、該各RF回路は該各第一転換ユニットにそれぞれ接続し、該各伝送信号を受信し、複数のRF信号に転換し、ピコネット（Pico net）周波数ホッピング序列に基づき、RF信号をそれぞれ伝送伝送する。
【０００６】
該各受信処理ユニットは該各RF回路のピコネット周波数ホッピング序列に基づき、RF信号をそれぞれ受信し、該各第二転換ユニットは該各受信処理ユニットにそれぞれ接続し、RF信号を受信し、RF信号を受信データに転換し、交換回路は選択信号に基づき受信データを切り替え、複数のデコード調整ユニットは交換回路が切り換えた受信データを受信し、受信データをデコード調整し、デコード調整データを発生し、第二処理ユニットはデコード調整データを受信し、デコード調整データを処理し、デコード調整データを出力し、デコードユニットは第二処理ユニットが出力するデコード調整データをデコードし出力データを発生し、
さらに第一処理ユニットは空間マルチ処理によりデータをエンコードし、エンコードデータを複数の調整ユニットに出力しエンコードデータを調整し、該各RF回路はピコネット周波数ホッピング序列の異なる周波数帯に基づき、それぞれRF信号を該各処理ユニットに交錯伝送し、或いは空間重複によりエンコードデータを処理し、さらに該各RF回路により同一の周波数帯において、RF信号を該各受信処理ユニットに平行伝送することを特徴とする多重入力出力の無線伝送システム及びその伝送方法である。
【課題を解決するための手段】
【０００７】
請求項１の発明は、無線伝送システム、無線受信システムを含み、
該無線伝送システムはエンコードユニット、第一処理ユニット、複数の調整ユニット、複数の第一転換ユニット、複数のRF回路を含み、
該エンコードユニットは入力データを受信し、該入力データをエンコードし、エンコードデータを発生し、
該第一処理ユニットは該エンコードデータを受信し、該エンコードデータを処理し、該エンコードデータを出力し、
該複数の調整ユニットは該第一処理ユニットが出力する該エンコードデータを受信し、該エンコードデータを調整し、複数の調整データを発生し、
該複数の第一転換ユニットはそれぞれ該各調整ユニットに接続し、該各調整ユニットが転換する該複数の伝送信号を受信し、
該複数のRF回路は該各第一転換ユニットにそれぞれ接続し、該各伝送信号を受信し、複数のRF信号に転換し、ピコネット周波数ホッピング序列に基づき、RF信号をそれぞれ伝送し、
該無線受信システムは複数の受信処理ユニット、複数の第二転換ユニット、交換回路、複数のデコード調整ユニット、第二処理ユニット、デコードユニットを含み、
該複数の受信処理ユニットは該各RF回路の該ピコネット周波数ホッピング序列に基づき、該RF信号をそれぞれ受信し、
該複数の第二転換ユニットは該各受信処理ユニットにそれぞれ接続し、該RF信号を受信し、該RF信号を受信データに転換し、
該交換回路は該受信データを切り替え、
該複数のデコード調整ユニットは該交換回路が切り換えた該受信データを受信し、該受信データをデコード調整し、デコード調整データを発生し、
該第二処理ユニットは該デコード調整データを受信し、該デコード調整データを処理し、該デコード調整データを出力し、
該デコードユニットは該第二処理ユニットが出力する該デコード調整データをデコードし、出力データを発生することを特徴とする多重入力出力の無線伝送システムとしている。
請求項２の発明は、請求項１記載の多重入力出力の無線伝送システムにおいて、前記第一処理ユニットは該エンコードデータを空間マルチ処理し、該エンコードデータを出力することを特徴とする多重入力出力の無線伝送システムとしている。
請求項３の発明は、請求項２記載の多重入力出力の無線伝送システムにおいて、前記第一処理ユニットはデコードマルチユニットで、該エンコードデータを空間マルチ処理し、該エンコードデータを出力することを特徴とする多重入力出力の無線伝送システムとしている。
請求項４の発明は、請求項２記載の多重入力出力の無線伝送システムにおいて、前記第一処理ユニットが該エンコードデータを空間マルチ処理する時、該各RF回路は該ピコネット周波数ホッピング序列の異なる周波数帯に基づき、該RF信号を該各受信処理ユニットにそれぞれ交錯伝送することを特徴とする多重入力出力の無線伝送システムとしている。
請求項５の発明は、請求項２記載の多重入力出力の無線伝送システムにおいて、前記第二処理ユニットはマルチユニットで、還原空間マルチ処理により、該デコード調整データを処理し、該デコード調整データを出力することを特徴とする多重入力出力の無線伝送システムとしている。
請求項６の発明は、請求項１記載の多重入力出力の無線伝送システムにおいて、前記第一処理ユニットは該エンコードデータを空間重複処理し、該エンコードデータを出力することを特徴とする多重入力出力の無線伝送システムとしている。
請求項７の発明は、請求項６記載の多重入力出力の無線伝送システムにおいて、前記第一処理ユニットは該エンコードデータを該各調整ユニットに同時に伝送し、該エンコードデータを空間重複し、該エンコードデータを出力することを特徴とする多重入力出力の無線伝送システムとしている。
請求項８の発明は、請求項６記載の多重入力出力の無線伝送システムにおいて、前記第一処理ユニットが該エンコードデータを空間重複する時、該各RF回路は同一の周波数帯において、該各RF信号を該各受信処理ユニットに平行伝送することを特徴とする多重入力出力の無線伝送システムとしている。
請求項９の発明は、請求項６記載の多重入力出力の無線伝送システムにおいて、前記第二処理ユニットは組合せユニットで、還原空間マルチ重複処理により、該デコード調整データを処理し、該デコード調整データを出力することを特徴とする多重入力出力の無線伝送システムとしている。
請求項１０の発明は、請求項１記載の多重入力出力の無線伝送システムにおいて、前記第一処理ユニットはさらに選択信号を受信し、空間マルチにより該エンコードデータを処理し、或いは空間重複により該エンコードデータを処理し、該エンコードデータを出力することを特徴とする多重入力出力の無線伝送システムとしている。
請求項１１の発明は、請求項８記載の多重入力出力の無線伝送システムにおいて、前記選択信号はピコネット選択信号であることを特徴とする多重入力出力の無線伝送システムとしている。
請求項１２の発明は、請求項１記載の多重入力出力の無線伝送システムにおいて、前記第一転換ユニットはデジタルアナログ転換器で、デジタルの該調整信号をアナログの該RF信号に転換することを特徴とする多重入力出力の無線伝送システムとしている。
請求項１３の発明は、請求項１記載の多重入力出力の無線伝送システムにおいて、前記各RF回路はさらに伝送アンテナを含み、該伝送アンテナは該RF信号を該無線受信システムに伝送することを特徴とする多重入力出力の無線伝送システムとしている。
請求項１４の発明は、請求項１記載の多重入力出力の無線伝送システムにおいて、前記各調整ユニットは直交波周波数分割多重（Orthogonal Frequency Division Multiplexing, OFDM）調整ユニットであることを特徴とする多重入力出力の無線伝送システムとしている。
請求項１５の発明は、請求項１記載の多重入力出力の無線伝送システムにおいて、前記交換回路は該無線伝送システムの複数のRF回路が伝送する該RF信号に基づき、該受信データを該各RF回路に対応する該各デコード調整ユニットに切り替え、該受信データをデコード調整することを特徴とする多重入力出力の無線伝送システムとしている。
請求項１６の発明は、請求項１記載の多重入力出力の無線伝送システムにおいて、前記各受信処理ユニットはさらに複数の受信アンテナを含み、該各受信アンテナは該各受信処理ユニットにそれぞれ接続し、該RF信号を受信し、該各受信処理ユニットに伝送することを特徴とする多重入力出力の無線伝送システムとしている。
請求項１７の発明は、請求項１記載の多重入力出力の無線伝送システムにおいて、前記第二転換ユニットはアナログデジタル転換器で、アナログの該RF信号をデジタルの該受信データに転換することを特徴とする多重入力出力の無線伝送システムとしている。
請求項１８の発明は、請求項１記載の多重入力出力の無線伝送システムにおいて、前記各デコード調整ユニットは直交波周波数分割多重（Orthogonal Frequency Division Multiplexing, OFDM）デコード調整ユニットことを特徴とする多重入力出力の無線伝送システムとしている。
請求項１９の発明は、多重入力出力の無線伝送方法は以下のステップを含み、
入力データをエンコードし、エンコードデータを発生し、
該エンコードデータを受信し、該エンコードデータを処理し、該エンコードデータを出力し、
処理後の該エンコードデータを受信し、該エンコードデータを調整し、複数の調整データを発生し、
該各調整データを受信し、複数の伝送信号に転換し、
該各伝送信号を受信し、複数のRF信号に転換し、ピコネット周波数ホッピング序列に基づき該RF信号をそれぞれ伝送し、
それぞれ該ピコネット周波数ホッピング序列に基づき該RF信号を受信し、
該RF信号を受信データに転換し、
該選択信号に基づき該受信データを切り替え、
切り換え後の該受信データを受信し、該受信データをデコード調整し、デコード調整データを発生し、
該デコード調整データを受信し、該デコード調整データを処理し、該デコード調整データを出力し、
転換後の該デコード調整信号をデコードし、出力データを発生することを特徴とする多重入力出力の無線伝送方法としている。
【発明の効果】
【０００８】
本発明の多重入力出力の無線伝送システム及びその伝送方法は、ピコネットにより信号を選択し、これにより第一処理ユニットは空間マルチ或いは空間重複方式により該各RF回路にRF信号を無線受信システムに交錯伝送或いは平行伝送させる。その空間マルチ伝送方式により、各アンテナは異なる周波数帯においてデータを伝送し、空間周波数ホッピングマルチの特性を備え、高速伝送の目的を達成し、回路の面積を節減することができる。
【発明を実施するための最良の形態】
【０００９】
本発明最適実施例のブロックチャートである図１、２に示すように、本発明の多重入力出力の無線伝送システムは無線伝送システムと無線受信システムを含む。図１は無線伝送システムを示し、図２は無線受信システムを示す。
無線伝送システムはエンコードユニット１０、第一処理ユニット２０、複数の調整ユニット３１、４１、５１、複数の第一転換ユニット３２、４２、５２、複数のRF回路３３、４３、５３を含む。
該エンコードユニット１０は入力データを受信し、入力データをエンコードしエンコードデータを発生する。該エンコードユニット１０はスクランブラー（Scrambler）、リード-ソロモン・エンコーダー（Reed-Solomon Encoder）、コンボルーショナルエンコーダー（Convolutional Encoder）などの機能を備える。これらは該項領域の技術者にとっては公知の技術であるため、詳述しない。
【００１０】
該第一処理ユニット２０はエンコードデータを受信し、エンコードデータを処理し、該各調整ユニット３１、４１、５１に伝送し、エンコードデータを調整し、複数の調整データを発生する。該調整ユニットは直交波周波数分割多重OFDM（Orthogonal Frequency Division Multiplexing）調整ユニットで、しかも該各調整ユニット３１、４１、５１はインターリーバー（Interleaver）、マッピング（Mapping）、IFFTを含む。これらは該項領域の技術者にとっては公知の技術であるため、詳述しない。
該各第一転換ユニット３２、４２、５２はそれぞれ該各調整ユニット３１、４１、５１に接続し、該各調整ユニット３１、４１、５１が伝送する該各調整データをそれぞれ受信し、複数の伝送信号に転換し、該各RF回路３３、４３、５３にそれぞれ出力する。
内、該各第一転換ユニット３２、４２、５２はデジタルアナログ転換器で、デジタルの調整信号をアナログのRF信号に転換する。該各RF回路３３、４３、５３は該各伝送信号を受信し、複数のRF信号に転換し、ピコネット（Pico net）周波数ホッピング序列によりそれぞれRF信号を伝送する。該各RF回路３３、４３、５３は伝送アンテナ３４、４４、５４をそれぞれ含み、RF信号を無線受信システムに伝送する。
【００１１】
無線受信システムの該各受信処理ユニット３６、４６、５６はそれぞれ該各RF回路３３、４３、５３のピコネット周波数ホッピング序列に基づきRF信号を受信する。該各受信処理ユニット３６、４６、５６はそれぞれ受信アンテナ３５、４５、５５を含み、該RF信号を受信し、該各受信処理ユニット３６、４６、５６に伝送する。複数の第二転換ユニット３７、４７、５７は該各受信処理ユニット３６、４６、５６にそれぞれ接続し、RF信号を受信し、RF信号を受信データに転換する。該各第二転換ユニット３７、４７、５７はアナログデジタル転換器で、アナログのRF信号をデジタルの受信データに転換する。
交換回路６０は受信データを切り換え、該各デコード調整ユニット３８、４８、５８は該交換回路６０が切り換え後の受信データを受信し、受信データをデコード調整し、デコード調整データを発生する。内、該各デコード調整ユニット３８、４８、５８は直交波周波数分割多重OFDM（Orthogonal Frequency Division Multiplexing）デコード調整ユニットである。
第二処理ユニット２２はデコード調整データを受信し、デコード調整データを処理し、デコード調整データを出力する。デコードユニット１２は第二処理ユニット２２が出力するデコード調整データをデコードし、出力データを発生する。
【００１２】
上記を受け、該第一処理ユニット２０は空間マルチ処理によりデータをエンコードし、エンコードデータを出力する。すなわち、該第一処理ユニット２０はデコードマルチユニットで、異なるエンコードデータを順番に、該各調整ユニット３１、４１、５１にそれぞれ伝送し、エンコードデータを調整する。こうして該第二処理ユニット２２は同一のマルチユニットで、還原空間マルチ処理によりデコード調整データを処理し、デコード調整データを出力する。本実施例の無線伝送システムは３本のアンテナ３４、４４、５４を備え、そのエンコードユニット１０の機能は直列入力出力のMB-直交波周波数分割多重OFDMシステム（SISIO MB-直交波周波数分割多重OFDM）のエンコードユニットと同様である。但し、本実施例の第一処理ユニット２０は空間マルチ処理方式によりデータの伝送を行う時、該エンコードユニット１０は直列入力出力のSISIO MB-直交波周波数分割多重OFDMの３倍のエンコード速度により作動する必要がある。SISIO MB-直交波周波数分割多重OFDMの伝送間には７種の異なるピコネットを備え伝送パケットデータを選択することができ、しかも各ピコネット内の各シンボル（symbol）データ間に異なる周波数ホッピング方式を備えデータの伝送を行うよう規範定義する。ピコネットの周波数ホッピング序列である図３に示すように、第一ピコネットから第七ピコネットは６個のシンボルデータを周波数ホッピング順序周期とすることがわかる。例えば、第一ピコネット中の周波数ホッピング序列はq(n)=[1 2 3 1 2 3 ・・・]である。
【００１３】
続いて、本発明は上記ピコネットが提供する周波数ホッピング周波数帯を利用し、多重入力出力のアンテナ構造を結合し、空間マルチの目的を達成する。以下は第一ピコネットを例として説明する。
本発明の多重入力出力の第一ピコネットの周波数ホッピング序列である図４に示すように、本発明の無線伝送システムは３本の伝送アンテナ３４、４４、５４を備える。第一ピコネットの周波数ホッピング序列に符合させ、各１本の伝送アンテナが伝送するデータが同一の周波数帯となることを回避するため、第一ピコネットにおいて、該第二伝送アンテナ４４は該第一伝送アンテナ３４よりシンボルデータ１個分だけ遅らせ周波数ホッピングを行う。また該第三伝送アンテナ５４は該第二伝送アンテナ４４よりシンボルデータ１個分だけ遅らせ周波数ホッピングを行う。すなわち、該第一伝送アンテナ３４の周波数ホッピング順序はq(1)=[1 2 3 1 2 3 ・・・]で、該第二伝送アンテナ４４の周波数ホッピング順序はq(2)=[ 2 3 1 2 3 1 ・・・]で、該第三伝送アンテナ５４の周波数ホッピング順序はq(3)=[ 3 1 2 3 1 2 ・・・]である。上記の周波数ホッピングの方式により、第一伝送アンテナ３４から第三伝送アンテナ５４までの周波数ホッピング周波数帯は相互に不干渉である。もし空間マルチモードを採用し３個の異なるデータを独立して伝送するなら、受信システムはSISO技術だけを利用すれば良く、複雑なMIMO演算法を使用しなくとも、データの高速受信発信を完成することができる。
【００１４】
本発明の多重入力出力の第二ピコネットから第四ピコネットの周波数ホッピング序列を示す図５〜７に示すように、その無線伝送システムは第一ピコネット周波数ホッピング序列のデータ伝送の方式を利用し、データ伝送を行う。
内、第三ピコネット周波数ホッピング序列と第四ピコネット周波数ホッピング序列の、第一ピコネット周波数ホッピング序列との差異は、第三ピコネットと第四ピコネット周波数ホッピング序列は２個のシンボルデータ毎に１個の周波数帯をホッピングすることである。よって、無線伝送システムの伝送アンテナは、２個のシンボルデータを相互に遅らせる必要があり、こうして該各伝送アンテナは相同の周波数帯においてデータを伝送することを回避する。
【００１５】
第五ピコネットから第七ピコネットの周波数ホッピング序列は、周波数帯１から周波数帯３の伝送データにそれぞれ限定する（図８参照）。よって、本発明の第一処理ユニット２０はさらにエンコードデータの空間重複処理とエンコードデータの出力が可能である。すなわち、該第一処理ユニット２０は同時にエンコードデータを該各調整ユニットに伝送し、エンコードデータを調整し、さらに該各RF回路３３、４３、５３によりRF信号を無線受信システムに同時に伝送する。こうして、空間と周波数ホッピング二重多様データを獲得することができ、その内の１本の伝送アンテナのデータ伝送の失敗によるデータの遺失を回避することができる。この他、第二処理ユニット２２は組合せユニットで、還原空間により重複処理し、デコード調整データを処理し、デコード調整データを出力する。
【００１６】
さらに、第一処理ユニット２０はさらに選択信号を受信し、第一処理ユニット２０を選択し、エンコードデータを空間マルチ処理し、或いはエンコードデータを空間重複処理する。内、選択信号はピコネット選択信号で、ピコネット選択信号が第一ピコネットから第四ピコネットの内の一つのピコネットである時には、該第一処理ユニット２０は空間マルチ方式によりエンコードデータを処理し、該各RF回路３３、４３、５３はピコネット周波数ホッピング序列の異なる周波数帯により、該各受信処理ユニット３６、４６、５６にRF信号をそれぞれ交錯伝送する。
ピコネット選択信号が第五ピコネットから第七ピコネットの内の一つのピコネットである時には、該第一処理ユニット２０は空間重複方式によりエンコードデータを処理し、該各RF回路３３、４３、５３はピコネット周波数ホッピング序列の周波数帯により、該各受信処理ユニット３６、４６、５６にRF信号をそれぞれ平行伝送する。
【００１７】
本発明の多重入力出力のデータ伝送の概略図である図９〜１１に示すように、第一ピコネットから第四ピコネットにより伝送する時、多重入力出力の伝送アンテナの周波数ホッピング周波数帯は相互に不干渉であるため、この時、無線受信システムの周波数ホッピング順序を制御し、空間中独立データのエコーを受け取ることができる。
第五ピコネットから第七ピコネットの伝送時には、該各RF回路３３、４３、５３のRF信号発射と該受信アンテナ３５、４５、５５のデータ受信は、共に同一周波数帯に位置するため、この伝送方式は空間多様増益を得ることができる。本発明の受信周波数ホッピング序列は、平行周波数ホッピング型（Parallel Hopping）MIMO受信システムと交錯周波数ホッピング型（Switching Hopping）MIMO受信システムに分けることができる。以下に第一ピコネットを例とし説明する。平行周波数ホッピング型（Parallel Hopping）MIMO受信システムの概略図である図９に示すように、その受信周波数ホッピング順序はp1(n)=q1(n)、p2(n)=q2(n) 、p3(n)=q3(n)、n=1,2,3・・・である。内、q1(n)は第一伝送アンテナ３４で、p2(n)は第二伝送アンテナ４４で、p3(n)は第三伝送アンテナ５４で、p1(n)は第一受信アンテナ３５で、p2(n)は第二受信アンテナ４５で、p3(n)は第三受信アンテナ５５である。
第一伝送アンテナ３４、第二伝送アンテナ４４、第三伝送アンテナ５４は第一受信アンテナ３５、第二受信アンテナ４５、第三受信アンテナ５５にそれぞれ対応しRF信号を伝送し、該交換回路６０を平行入力出力に設定する。こうして高速伝送と固定アンテナ間の周波数ホッピングを多様とする効果を達成することができる。
【００１８】
上記のように、交錯周波数ホッピング型のMIMO受信システムの伝送モードは１個のシンボルデータ毎に異なる受信アンテナに切り換え、伝送アンテナが伝送するデータを受信する。並びに該交換回路６０を対応させ、元の受信独立データに切り替え、すなわち受信データを該各RF回路３３、４３、５３が伝送するRF信号に対応する該各デコード調整ユニット３８、４８、５８に切り替え、該受信データをデコード調整する。この伝送方式は高速伝送を達成可能な他、さらには空間と周波数帯の交錯を多様とする効果を達成することもできる。その受信周波数ホッピングの順序は以下の数１の通りである。
【００１９】
【数１】
2008295003.tif 000003
【００２０】
内、第一シンボルデータの伝送時（図９参照）には、第一受信アンテナ３５、第二受信アンテナ４５、第三受信アンテナ５５は第一伝送アンテナ３４、第二伝送アンテナ４４、第三伝送アンテナ５４が伝送するデータをそれぞれ受信する。
第二シンボルデータの伝送時（図１０参照）には、第一受信アンテナ３５、第二受信アンテナ４５、第三受信アンテナ５５は第三伝送アンテナ５４、第一伝送アンテナ３４、第二伝送アンテナ４４が伝送するデータをそれぞれ受信する。
第三シンボルデータの伝送時（図１１参照）には、第一受信アンテナ３５、第二受信アンテナ４５、第三受信アンテナ５５は第二伝送アンテナ４４、第三伝送アンテナ５４、第一伝送アンテナ３４が伝送するデータをそれぞれ受信する。
こうしてピコネット周波数ホッピング序列の第1,4,7・・・シンボルデータに伝送する時には、図９に示す伝送方式により伝送する。同様に、ピコネット周波数ホッピング序列の第2,5,8・・・シンボルデータに伝送する時には、図１０に示す伝送方式により伝送し、ピコネット周波数ホッピング序列の第3,6,9・・・シンボルデータに伝送する時には、図１１に示す伝送方式により伝送する。
直列入力出力のMB-直交波周波数分割多重OFDM（Multi Band Orthogonal Frequency Division Multiplexing）システムと互換性を持たせる必要があるため、交錯周波数ホッピングを受信後、元の伝送RF信号の伝送アンテナに切り換える必要がある。よって、該交換回路６０により受信データを該各RF回路３３、４３、５３が伝送するRF信号に対応する該各デコード調整ユニット３８、４８、５８に切り替え、該受信データをデコード調整する（図１０、１１参照）。
【図面の簡単な説明】
【００２１】
【図１】本発明の最適実施例の無線伝送システムのブロックチャートである。
【図２】本発明の最適実施例の無線受信システムのブロックチャートである。
【図３】ピコネットの周波数ホッピング序列である。
【図４】本発明の多重入力出力の第一ピコネットの周波数ホッピング序列である。
【図５】本発明の多重入力出力の第二ピコネットの周波数ホッピング序列である。
【図６】本発明の多重入力出力の第三ピコネットの周波数ホッピング序列である。
【図７】本発明の多重入力出力の第四ピコネットの周波数ホッピング序列である。
【図８】本発明の多重入力出力の第五〜七ピコネットの周波数ホッピング序列である。
【図９】本発明の多重入力出力のデータ伝送の概略図である。
【図１０】本発明の多重入力出力の別のデータ伝送の概略図である。
【図１１】本発明の多重入力出力の別のデータ伝送の概略図である。
【符号の説明】
【００２２】
１０  エンコードユニット
１２  デコードユニット
２０  第一処理ユニット
２２  第二処理ユニット
３１  調整ユニット
３２  第一転換ユニット
３３  RF回路
３４  伝送アンテナ
３５  受信アンテナ
３６  受信処理ユニット
３７  第二転換ユニット
３８  デコード調整ユニット
４１  調整ユニット
４２  第一転換ユニット
４３  RF回路
４４  伝送アンテナ
４５  受信アンテナ
４６  受信処理ユニット
４７  第二転換ユニット
４８  デコード調整ユニット
５１  調整ユニット
５２  第一転換ユニット
５３  RF回路
５４  伝送アンテナ
５５  受信アンテナ
５６  受信処理ユニット
５７  第二転換ユニット
５８  デコード調整ユニット
６０  交換回路
【図１】
2008295003.tif 000004
【図２】
2008295003.tif 000005
【図３】
2008295003.tif 000006
【図４】
2008295003.tif 000007
【図５】
2008295003.tif 000008
【図６】
2008295003.tif 000009
【図７】
2008295003.tif 000010
【図８】
2008295003.tif 000011
【図９】
2008295003.tif 000012
【図１０】
2008295003.tif 000013
【図１１】
2008295003.tif 000014